(57)【要約】【課題】無線タグをきめ細かく管理することができる無線タグ管理システムを提供する。【解決手段】無線タグ１４を保持した作業者が建屋１００の出入口１０２を通過すると、作業者の無線タグ１４は、トリガ発信機１２Ａまたは１２Ｂの発信によるトリガＩＤ信号０１または０２を受信し、トリガＩＤ信号０１または０２とタグＩＤを含むタグ情報を発信する。作業者が作業場Ａで作業を開始すると、作業者の無線タグ１４は、トリガ発信機１２Ｃの発信によるトリガＩＤ信号０３を受信し、トリガＩＤ信号０３とタグＩＤを含むタグ情報を発信する。これらのタグ情報が受信機１６によって受信されると、受信機１６は、受信したタグ情報に時間情報を付加してホスト１８に転送する。ホスト１８は、受信した情報から、無線タグ１４を保持した作業者が建屋１００の出入口１０２を通過したことや作業場Ａで作業を行っていることを検知ができる。【選択図】図５
2010041475.tif 000002
【特許請求の範囲】
【請求項１】
トリガエリア内に当該トリガエリア固有のトリガＩＤ信号を発信する１または２以上のトリガ発信機と、人又は物体に装着されて、前記トリガＩＤ信号を受信したときに、前記トリガＩＤ信号とタグＩＤを含むタグ情報を送信する１または２以上の無線タグと、前記タグ情報を受信したときに、前記受信したタグ情報に時間情報を付加して出力する受信機と、前記受信機の出力による情報を基に前記無線タグの位置を判定するホストを備えてなる、無線タグ管理システム。
【請求項２】
請求項１に記載の無線タグ管理システムにおいて、
前記ホストは、前記トリガ発信機に対して、前記トリガＩＤ信号の発信間隔の変更を指示し、
前記トリガ発信機は、前記ホストから前記トリガＩＤ信号の発信間隔の変更の指示を受けたときには、当該指示に従って前記トリガＩＤ信号の発信間隔を変更してなる、無線タグ管理システム。
【請求項３】
請求項１または２に記載の無線タグ管理システムにおいて、
前記ホストは、人に装着された無線タグと物体に装着された無線タグを監視対象としているときに、物体に装着された無線タグからのタグ情報のみを受信したときには、前記トリガ発信機に対して、常時発信モードと警報モードを実行させるためのコマンドを送信し、
このコマンドを受信した前記トリガ発信機は、前記無線タグを、常時発信モードと警報モードで動作させてなる、無線タグ管理システム。
【請求項４】
請求項１、２または３のうちいずれか１項に記載の無線タグ管理システムにおいて、
前記ホストは、前記トリガ発信機に対して、トリガＩＤ信号の変更を指示し、前記無線タグに対して、タグＩＤの変更を指示し、
前記トリガ発信機は、前記ホストからの指示に従ってトリガＩＤ信号の変更し、
前記無線タグは、前記ホストからの指示に従ってタグＩＤを指示し、
前記ホストは、前記各変更に伴う情報を前記受信機から受けたときに、受信した情報を基に変更の内容が指示通りであるか否かを判定してなる、無線タグ管理システム。
【発明の詳細な説明】
【技術分野】
【０００１】
本発明は、無線タグを保持した人や物体の動向を管理することができる無線タグ管理システムに関する。
【背景技術】
【０００２】
従来、無線タグを保持した人の動向を管理するものとして、例えば、第１の位置に配置されて、第１特性を有するトリガ信号を出力する第１トリガ信号発信器と、第２の位置に配置されて、第１特性とは異なる第２特性を有するトリガ信号を出力する第２トリガ信号発信器と、第１および第２トリガ信号発信器からのトリガ信号に応答して、受信したトリガ信号を特定する情報とともに、ＩＤ（Ｉｄｅｎｔｉｆｉｃａｔｉｏｎ）番号を出力するＩＤタグと、ＩＤタグが出力したＩＤ番号を受信する受信器を備えた動態管理システムが提案されている（特許文献１参照）。
【０００３】
このシステムによれば、ＩＤタグは、受信したトリガ信号を特定する情報とともにＩＤ番号を出力するため、２つのトリガ信号発信器からの情報だけで、ＩＤタグが、どのトリガ信号発信位置をどのように通過したかを知ることができる。
【特許文献１】特開２００６−４８３９９号公報
【発明の開示】
【発明が解決しようとする課題】
【０００４】
従来技術では、ＩＤタグが、どのトリガ信号発信位置をどのように通過したかを知ることはできるが、ＩＤタグの動向などをきめ細かく管理するに十分ではない。
【０００５】
本発明は、無線タグをきめ細かく管理することができる無線タグ管理システムを提供することを目的とするものである。
【課題を解決するための手段】
【０００６】
前記目的を達成するために、本発明は、トリガエリア内に当該トリガエリア固有のトリガＩＤ信号を発信する１または２以上のトリガ発信機と、人又は物体に装着されて、前記トリガＩＤ信号を受信したときに、前記トリガＩＤ信号とタグＩＤを含むタグ情報を送信する１または２以上の無線タグと、前記タグ情報を受信したときに、前記受信したタグ情報に時間情報を付加して出力する受信機と、前記受信機の出力による情報を基に前記無線タグの位置を判定するホストを備えてなる、無線タグ管理システムを構成したものである。
【発明の効果】
【０００７】
本発明によれば、無線タグをきめ細かく管理することができる。
【発明を実施するための最良の形態】
【０００８】
以下、本発明の一実施形態を図面に基づいて説明する。図１は、本発明に係る無線タグ管理システムのブロック構成図である。
【０００９】
図１において、無線タグ管理システム１０は、トリガエリア内に当該トリガエリア固有のトリガＩＤ信号を発信するトリガ発信機１２と、人や車両等の物体に装着されて、トリガＩＤ信号を受信したときに、トリガＩＤ信号とタグＩＤを含むタグ情報を送信する無線タグ１４と、タグ情報を受信したときに、受信したタグ情報に時間情報を付加して出力する受信機１６と、受信機１６の出力による情報を基に、無線タグ１４を保持した、人や物体の位置を判定するホスト（ホストコンピュータ）１８を備えて構成されている。
【００１０】
トリガ発信機１２は、図２に示すように、トリガ外部入出回路２０と、電源回路２２と、マイコン２４と、ＩＤ設定スイッチ２６と、トリガ信号生成回路２８と、トリガ出力回路３０と、トリガ共振調整回路３２と、レベル調整スイッチ３４と、同調調整スイッチ３６を備えて構成されている。
【００１１】
トリガ外部入出力回路２０は、外部とトリガ同期信号の入出力を行うとともに、トリガ同期信号をマイコン２４に出力する。電源回路２２は、トリガ発信機１２各部に直流電力（ＤＣ１２Ｖ）を供給する。
【００１２】
マイコン２４は、ＣＰＵ、ＲＡＭ、ＲＯＭ、入出力インタフェースを備え、トリガ外部入出力回路２０からトリガ同期信号を受けて、各種の演算、例えば、ＩＤ設定スイッチ２６の設定に従って８ビットのトリガＩＤ信号として、トリガエリア固有のトリガＩＤ信号を発信するための演算を実行し、実行結果をトリガ信号生成回路２８に出力する。
【００１３】
トリガ信号生成回路２８は、マイコン２４の演算結果を基にトリガエリア固有のトリガＩＤ信号を生成し、生成したトリガＩＤ信号をトリガ出力回路３０に出力する。トリガ出力回路３０は、生成されたトリガＩＤ信号をアンテナを介してトリガエリアに向けて発信する。
【００１４】
この際、トリガ共振調整回路３２により、トリガＩＤ信号の共振が調整され、レベル調整スイッチ３４により、トリガＩＤ信号のレベルが３ビットの情報で調整され、同調調整スイッチ３６により、トリガＩＤ信号の同調が５ビットの情報で調整される。
【００１５】
無線タグ１４は、図３に示すように、トリガアンテナ４０と、トリガ検出回路４２と、マイコン４４と、電池４６と、周波数制御回路４８と、発振・変調回路５０と、出力回路５２と、送信アンテナ５４を備えて構成されている。
【００１６】
トリガアンテナ４０は、トリガ発信機１２のトリガエリア内でトリガ電波（９３．７５ｋＨｚ）として、トリガＩＤ信号を受信したときに、受信したトリガＩＤ信号をトリガ検出回路４２に出力する。トリガ検出回路４２は、トリガアンテナ４０がトリガＩＤ信号を受信したときに、トリガ検出信号をマイコン４４に出力する。
【００１７】
マイコン４４は、トリガ検出回路４２からトリガ検出信号が入力されたときに、トリガアンテナ４０がトリガＩＤ信号を受信したときの演算処理として、トリガＩＤ信号とタグＩＤを含むタグ情報を送信するために、周波数制御回路４８と発振・変調回路５０および出力回路５２を制御するための演算処理を実行し、演算結果に従って周波数制御回路４８と発振・変調回路５０および出力回路５２を制御する。
【００１８】
出力回路５２は、トリガＩＤ信号とタグＩＤを含むタグ情報を送信アンテナ５４から３００ＭＨｚ帯の電波で送信する。
【００１９】
受信機１６は、図４に示すように、受信ユニット６０と、電源回路６２と、データバッファ６４と、１チップマイコン６６と、データ処理回路６８と、ベース回路７０と、デジタル入出力回路７２を備えて構成され、ベース回路７０がＬＡＮ７４を介してホスト１８に接続されている。
【００２０】
受信ユニット６０は、送信アンテナ５４から送信されたタグ情報を受信したときに、タグ情報をデジタルのタグ情報としてデータ処理回路６８に出力する。データ処理回路６８は、タグ情報を処理するとともに、デジタル入出力回路７２から入力されたデータを処理し、各処理結果を１チップマイコン６６に出力する。
１チップマイコン６６は、データ処理回路６８からのデータやデータバッファ６４のデータを処理し、処理結果として、例えば、時間情報が付加されたタグ情報をベース回路７０とＬＡＮ７４を介してホスト１８に転送する。
【００２１】
ホスト８０は、例えば、パーソナルコンピュータで構成され、時間情報が付加されたタグ情報を基に、無線タグ１４を保持した、人や物体の位置を判定したり、トリガ発信機１２や無線タグ１４などを制御するための情報を生成したりする。
【００２２】
次に、無線タグ管理システム１０を用いて、作業者の作業管理を行うときの作用を図５に基づいて説明する。
【００２３】
本実施例においては、建屋１００の出入口１０２の外側にトリガ発信機１２Ａを、内側にトリガ発信機１２Ｂをそれぞれ配置し、作業場Ａにトリガ発信機１２Ｃを、作業場Ｂにトリガ発信機１２Ｄをそれぞれ配置した場合について説明する。なお、トリガ発信機１２Ａ〜１２Ｄは、トリガ発信機１２と同一の機能を有するもので構成されている。
【００２４】
まず、トリガ発信機１２Ａ、１２Ｂは、常時発信状態とし、トリガ発信機１２Ｃ、１２Ｄは、停止状態とする。この状態で、無線タグ１４を保持した作業者が建屋１００の出入口１０２に近づくと、作業者の無線タグ１４がトリガ発信機１２Ａの発信によるトリガＩＤ信号０１を受信する。これにより、作業者の無線タグ１４は、トリガＩＤ信号０１とタグＩＤを含むタグ情報を発信する。このタグ情報が受信機１６によって受信されると、受信機１６は、受信したタグ情報に時間情報を付加してホスト１８に転送する。これにより、ホスト１８は、建屋１００の出入口１０２に無線タグ１４を保持した作業者が近づいたことを検知することができる。
【００２５】
次に、無線タグ１４を保持した作業者が出入口１０２から建屋１００内に入ると、作業者の無線タグ１４がトリガ発信機１２Ｂの発信によるトリガＩＤ信号０２を受信する。これにより、作業者の無線タグ１４は、トリガＩＤ信号０２とタグＩＤを含むタグ情報を発信する。このタグ情報が受信機１６によって受信されると、受信機１６は、受信したタグ情報に時間情報を付加してホスト１８に転送する。これにより、ホスト１８は、無線タグ１４を保持した作業者が出入口１０２から建屋１００内に入ったことを検知することができる。
【００２６】
この後、ホスト１８は、無線タグ１４を保持した作業者が出入口１０２から建屋１００内に入ったことを条件に、トリガ発信機１２Ｃに発信を指示する。これにより、トリガ発信機１２Ｃが発信状態となる。
【００２７】
次に、無線タグ１４を保持した作業者が作業場Ａで作業を開始すると、作業者の無線タグ１４がトリガ発信機１２Ｃの発信によるトリガＩＤ信号０３を受信する。これにより、作業者の無線タグ１４は、トリガＩＤ信号０３とタグＩＤを含むタグ情報を発信する。このタグ情報が受信機１６によって受信されると、受信機１６は、受信したタグ情報に時間情報を付加してホスト１８に転送する。これにより、ホスト１８は、無線タグ１４を保持した作業者が作業場Ａで作業を行っていることを検知することができる。
【００２８】
この後、ホスト１８は、トリガ発信機１２Ｃに対して、トリガ発信間隔を長くさせるための指示を行う。これにより、トリガ発信機１２Ｃのトリガ発信間隔が長くなる。
【００２９】
トリガ発信機１２Ｃのトリガ発信間隔が長くなると、トリガ発信機１２Ｃの発信によるトリガＩＤ信号０３を受信する、作業者の無線タグ１４から発信するタグ情報の発信間隔も、作業者が作業場Ａにいる間は、長くなる。これにより、トリガ発信機１２Ｃの電源回路２２や無線タグ１４の電池４６の消費電力を抑制することができる。
【００３０】
作業者による作業が終了したときには、ホスト１８は、トリガ発信機１２Ｃに対して、発信停止を指示する。
【００３１】
作業の終了に伴って、作業者が作業場Ａから出入口１０２に近づくと、作業者の無線タグ１４がトリガ発信機１２Ｂの発信によるトリガＩＤ信号０２を受信する。これにより、作業者の無線タグ１４は、トリガＩＤ信号０２とタグＩＤを含むタグ情報を発信する。このタグ情報が受信機１６によって受信されると、受信機１６は、受信したタグ情報に時間情報を付加してホスト１８に転送する。これにより、ホスト１８は、無線タグ１４を保持した作業者が出入口１０２に近づいたことを検知することができる。
【００３２】
この後、作業者が出入口１０２から建屋１００の外に出ると、作業者の無線タグ１４がトリガ発信機１２Ａの発信によるトリガＩＤ信号０１を受信する。これにより、作業者の無線タグ１４は、トリガＩＤ信号０１とタグＩＤを含むタグ情報を発信する。このタグ情報が受信機１６によって受信されると、受信機１６は、受信したタグ情報に時間情報を付加してホスト１８に転送する。これにより、ホスト１８は、無線タグ１４を保持した作業者が出入口１０２から建屋１００の外に出たことを検知することができる。
【００３３】
本実施例によれば、建屋１００を利用する作業者の入退出や作業を管理することができる。
【００３４】
次に、無線タグ管理システム１０を用いて、貴重品の盗難検知および持ち出しの管理を行うときの作用を図６に基づいて説明する。
【００３５】
本実施例においては、建屋１００の出入口１０２の外側にトリガ発信機１２Ａを、内側にトリガ発信機１２Ｂをそれぞれ配置し、貴重品置き場Ｃに貴重品を配置し、貴重品に、貴重品固有のタグＩＤを発信する無線タグ１４を装着した場合について説明する。なお、トリガ発信機１２Ａ、１２Ｂは、トリガ発信機１２と同一の機能を有するもので構成されている。
【００３６】
まず、トリガ発信機１２Ａ、１２Ｂは、常時発信状態とする。この状態で、無線タグ１４を保持した作業者（Ａ）が建屋１００の出入口１０２に近づくと、作業者（Ａ）の無線タグ１４がトリガ発信機１２Ａの発信によるトリガＩＤ信号０１を受信する。これにより、作業者の無線タグ１４は、トリガＩＤ信号０１とタグＩＤを含むタグ情報を発信する。このタグ情報が受信機１６によって受信されると、受信機１６は、受信したタグ情報に時間情報を付加してホスト１８に転送する。これにより、ホスト１８は、建屋１００の出入口１０２に無線タグ１４を保持した作業者（Ａ）が近づいたことを検知することができる。
【００３７】
次に、無線タグ１４を保持した作業者（Ａ）が出入口１０２から建屋１００内に入ると、作業者（Ａ）の無線タグ１４がトリガ発信機１２Ｂの発信によるトリガＩＤ信号０２を受信する。これにより、作業者の無線タグ１４は、トリガＩＤ信号０２とタグＩＤを含むタグ情報を発信する。このタグ情報が受信機１６によって受信されると、受信機１６は、受信したタグ情報に時間情報を付加してホスト１８に転送する。これにより、ホスト１８は、無線タグ１４を保持した作業者が出入口１０２から建屋１００内に入ったことを検知することができる。
【００３８】
次に、無線タグ１４を保持した作業者（Ａ）が貴重品置き場Ｃから貴重品を持って出入口１０２に近づくと、作業者（Ａ）の無線タグ１４と貴重品の無線タグ１４がトリガ発信機１２Ｂの発信によるトリガＩＤ信号０２を略同時に受信する。これにより、作業者の無線タグ１４と貴重品の無線タグ１４は、トリガＩＤ信号０２とタグＩＤを含むタグ情報を略同時に発信する。これらのタグ情報が受信機１６によって略同時に受信されると、受信機１６は、受信した各タグ情報に時間情報を付加してホスト１８に転送する。これにより、ホスト１８は、各タグ情報を識別することで、無線タグ１４を保持した作業者が貴重品を持って出入口１０２に近づいたことを検知することができる。
【００３９】
この後、作業者が出入口１０２から建屋１００の外に出ると、作業者の無線タグ１４と貴重品の無線タグ１４がトリガ発信機１２Ａの発信によるトリガＩＤ信号０１を略同時に受信する。これにより、作業者の無線タグ１４と貴重品の無線タグ１４は、トリガＩＤ信号０１とタグＩＤを含むタグ情報を略同時に発信する。これらのタグ情報が受信機１６によって受信されると、受信機１６は、受信した各タグ情報に時間情報を付加してホスト１８に転送する。これにより、ホスト１８は、無線タグ１４を保持した作業者が貴重品を持って出入口１０２から建屋１００の外に出たことを検知することができる。
【００４０】
一方、無線タグ１４を持たない人（Ｂ）が出入口１０２から建屋１００内に入った場合、無線タグ１４を持たない人（Ｂ）からは、タグ情報が発信されないので、ホスト１８は、無線タグ１４を持たない人（Ｂ）が建屋１００内に入ったことを検知することはできない。
【００４１】
ただし、無線タグ１４を持たない人（Ｂ）が貴重品置き場Ｃから貴重品を持ち出して出入口１０２に近づくと、貴重品の無線タグ１４がトリガ発信機１２Ｂの発信によるトリガＩＤ信号０２を受信する。これにより、貴重品の無線タグ１４は、トリガＩＤ信号０２とタグＩＤを含むタグ情報を発信する。このタグ情報が受信機１６によって受信されると、受信機１６は、受信したタグ情報に時間情報を付加してホスト１８に転送する。これにより、ホスト１８は、貴重品からのタグ情報のみを受信し、無線タグ１４を保持すべき人からのタグ情報を受信しないことから、盗難が発生したと判断する。
【００４２】
このとき、ホスト１８は、トリガ発信機１２Ａ、１２Ｂに対して、無線タグ１４を常時発信モードおよび警報モードとするように指示するとともに、常時発信コマンドと警報コマンドを送信する。
【００４３】
貴重品を持った人（Ｂ）が出入口１０２を通過すると、貴重品の無線タグ１４は、トリガ発信機１２Ａ、１２Ｂから常時発信コマンドと警報コマンドを受信する。これにより、貴重品の無線タグ１４は、常時発信モードとなり、トリガ発信機１２Ａ、１２Ｂや他のトリガ発信機からのトリガがなくても発信するとともに、警報モードでブザー音を発生する。この結果、ブザー音が発生している貴重品を盗難品として容易に検知することができる。
【００４４】
本実施例によれば、無線タグ１４を保持していない人が貴重品を建屋１００から持ち出しても、貴重品からブザーが発生するので、盗難品を容易に検知することができる。
【００４５】
次に、無線タグが発信する電波の偽造防止に係る実施例の作用を図７に基づいて説明する。
【００４６】
本実施例においては、トリガ発信機１２のトリガＩＤ信号をトリガＩＤ信号０１とする。
【００４７】
ある無線タグ１４がトリガ発信機１２のトリガエリア内に入ると、この無線タグ１４は、トリガ発信機１２の発信によるトリガＩＤ信号０１を受信する。これにより、無線タグ１４は、トリガＩＤ信号０１とタグＩＤを含むタグ情報を発信する。このタグ情報が受信機１６によって受信されると、受信機１６は、受信したタグ情報に時間情報を付加してホスト１８に転送する。
【００４８】
タグ情報を受信したホスト１８は、無線タグ１４が発信する電波の偽造を防止するために、例えば、トリガ発信機１２に対して、トリガＩＤ信号０１をトリガＩＤ信号０２に変更するように指示する。
【００４９】
この指示を受けたトリガ発信機１２は、トリガＩＤ信号０２を発振する。そのトリガＩＤ信号０２を受けたタグはトリガＩＤ信号０２とタグＩＤを含むタグ情報を発信する。このタグ情報が受信機１６によって受信されると、受信機１６は、受信したタグ情報に時間情報を付加してホスト１８に転送する。これにより、ホスト１８は、トリガ発信機１２が、トリガＩＤ信号０１をトリガＩＤ信号０２に変更したことを検知することができる。
【００５０】
ここで、ホスト１８は、さらに、トリガＩＤ信号０２をトリガＩＤ信号０１に戻すように指示する。
【００５１】
ただし、単なる電波の記録再生だけでは、トリガＩＤの変更に対して対応ができない。
【００５２】
そこで、さらに、ホスト１８は、トリガ発信機１２からの情報として、トリガＩＤ信号０２とタグＩＤを含むタグ情報と時間情報を受信したときに、トリガ発信機１２に対して、トリガ発信機１２から無線タグ１４にタグＩＤの変更を促す変更コマンドを出力するように指示する。
【００５３】
トリガ発信機１２が無線タグ１４に変更コマンドを送信すると、変更コマンドを受信した無線タグ１４は、変更したタグＩＤとトリガＩＤ信号０１を含むタグ情報を発信する。このタグ情報が受信機１６によって受信されると、受信機１６は、受信したタグ情報に時間情報を付加してホスト１８に転送する。これにより、ホスト１８は、受信した情報を識別し、受信した情報に、変更したタグＩＤとトリガＩＤ信号０１を含むタグ情報が存在するときには、変更方法が指示通りであると判定し、認証を行う。これにより、無線タグ１４が発信する電波の偽造を防止することができる。
【００５４】
本実施例によれば、無線タグ１４が発信する電波の偽造を防止することができる。
【００５５】
また、無線タグ１４のタグＩＤの変更方法の指示については、何らかの演算式のパラメータを与えるなどの方法でタグのなりすましを防止できる。
【００５６】
また、各実施例においては、複数の無線タグ１４を用いる場合、各無線タグ１４の発信タイミングを乱数表に従って異なるタイミングに設定することもできる。
【００５７】
さらに、タグ情報にＣＲＣコードを付加したり、無線タグ１４として、在庫の状態での電池消耗を防止するために、ケース封入時に通電開始するケース構造としてりすることもできる。
【図面の簡単な説明】
【００５８】
【図１】本発明に係る無線タグ管理システムのブロック構成図である。
【図２】トリガ発信機のブロック構成図である。
【図３】無線タグのブロック構成図である。
【図４】受信機のブロック構成図である。
【図５】作業者の作業管理を行うときの作用を説明するための図である。
【図６】貴重品の盗難検知および持ち出しの管理を行うときの作用を説明するための図である。
【図７】無線タグが発信する電波の偽造防止に係る実施例の作用を説明するための図である。
【符号の説明】
【００５９】
１０  無線タグ管理システム
１２  トリガ発信機
１４  無線タグ
１６  受信機
１８  ホスト
【図１】
2010041475.tif 000003
【図２】
2010041475.tif 000004
【図３】
2010041475.tif 000005
【図４】
2010041475.tif 000006
【図５】
2010041475.tif 000007
【図６】
2010041475.tif 000008
【図７】
2010041475.tif 000009